(57)【要約】【課題】装填冊数と登録冊数が違っていると、通帳が通帳自動発行装置にないのに発行しようとする。等動作上の不具合が生じる。  【解決手段】通帳収納機構に装填されている通帳の重なり方向に角度センサを動かしつつ、通帳のとじ部に接触させ、凹凸を検出することにより通帳の冊数を検知する。  【選択図】  図１
2008102801.tif 000002
【特許請求の範囲】
【請求項１】
通帳を発行して繰り出す通帳発行装置において、
通帳収納機構に装填されている通帳の重なり方向に角度センサを一定速度で動かしつつ、角度センサの先端を通帳のとじ部に接触させ、通帳の重なりによる凹凸を検出することにより通帳の冊数を検知する通帳発行装置。
【請求項２】
請求項１に記載の通帳発行装置であって、
前記通帳の背部に押し付けられ、前記角度センサへ通帳の背部及び重なり部分の情報を伝達する接触部を有することを特徴とする通帳発行装置。
【請求項３】
請求項１または２に記載の通帳発行装置であって、
前記角度センサが固定され上下に移動する筐体を有し、該筐体が上端および下端にあることをそれぞれ検知する検出機構を有することを特徴とする通帳発行装置。
【発明の詳細な説明】
【技術分野】
【０００１】
本発明は銀行等の金融機関で用いられる通帳の自動発行装置に関するものである。
【背景技術】
【０００２】
銀行の自動取引装置（ＡＴＭ）には通帳を自動的に発行する装置が搭載されている。このような通帳自動発行装置において、従来は通帳を通帳自動発行装置に装填する時にあらかじめ冊数を数えてから装填していた。その値を通帳自動発行装置にも登録していた。これにより通帳の装填冊数を管理していた。通帳を発行するたびに登録値から減算していき、ある一定の値より下がると、顧客に通知し、通帳を補充していた。このような通帳自動発行装置に関しては特開２００２−２２２４５０号公報（特許文献１）に記載のものがあった。
【０００３】
【特許文献１】特開２００２−２２２４５０号公報
【発明の開示】
【発明が解決しようとする課題】
【０００４】
装填冊数と登録冊数が違っていると、通帳が通帳自動発行装置に装填されてないのに発行しようとする等、動作上の不具合が生じる場合がある。
【課題を解決するための手段】
【０００５】
通帳収納機構に装填されている通帳の重なり方向に角度センサを一定速度で動かしつつ、角度センサの先端を通帳のとじ部に接触させ、通帳の重なりによる凹凸を検出することにより通帳の冊数を検知する。これにより現状の装填冊数がわかる。また、通帳自動発行装置への登録も自動で可能となる。往路と復路でそれぞれ動作させることにより検出精度を上げることができる。凹凸の検出波形を解析することにより通帳逆セットや異なる通帳の混在も検知することができる。
【発明の効果】
【０００６】
通帳自動発行装置を止めて通帳の冊数を確認する必要がなくなる。また、あらかじめ冊数を数える必要もなくなる。
【発明を実施するための最良の形態】
【０００７】
以下、図面を用いて本発明の実施例を詳細に説明する。
【実施例１】
【０００８】
図１において、１は角度センサ本体、２は通帳、３はセンサ駆動ギヤ、４は通帳収納機構、５は制御装置、６はセンサ駆動モータ、７はセンサ駆動ベルト、８はセンサ筐体、９は通帳接触バー、１０は通帳接触バー押し付けバネ、１１はセンサ筐体上端検出装置、１２はセンサ筐体下端検出装置である。
【０００９】
角度センサ本体１は、センサ筐体８に固定されており、通帳接触バー９により角度を変化させると出力電圧が変化する。出力電圧は制御装置５へ送られる。センサ駆動ギヤ３は、センサ駆動ベルト７に一定の張力を与え、センサ駆動モータ６で発生した動力をセンサ駆動ベルト７を介してセンサ筐体８に伝達するものである。通帳収納機構４は、通帳２を装填しておくものである。制御装置５は角度センサ本体１からの出力電圧を解析することにより通帳の冊数を検知する。また、センサ駆動モータ６の制御も行う。
【００１０】
センサ駆動モータ６は、センサ筐体８に固定された角度センサ本体１を移動させるために、その動力をセンサ駆動ベルト７、センサ駆動ギヤ３、センサ筐体８へと伝達させるものである。センサ駆動ベルト７は、センサ駆動モータ６で発生した動力をセンサ駆動ギヤ３を介してセンサ筐体８に伝達するものである。センサ筐体８は、角度センサ本体１を固定しており、センサ駆動ベルト７に固定されている。センサ駆動モータ６で発生した動力により移動するものである。
【００１１】
通帳接触バー９は通帳２の背部と重なり部の情報を角度という形で角度センサ本体１に伝達するものである。通帳接触バー押し付けバネ１０は、通帳接触バー９を通帳２の背部と重なり部に押し付けるものであり、片方はセンサ筐体８に固定されている。センサ筐体上端検出装置１１は、センサ筐体８が上端にあることを検知する装置であり、検知された場合センサ駆動モータ６を制御装置５により停止させる。センサ筐体下端検出装置１２は、センサ筐体８が下端にあることを検知する装置であり、検知された場合センサ駆動モータ６を制御装置５により停止させる。
【００１２】
以下、センサ筐体８を上側から下側に移動して通帳２の冊数を検知する場合を示す。
【００１３】
センサ筐体上端検出装置１１側に停止しているセンサ筐体８は、制御装置５によりセンサ筐体下端検出装置１２側に向かうようセンサ駆動モータ６を一定速度で回転させ、その動力はセンサ駆動ベルト７、センサ駆動ギヤ３、センサ筐体８へと伝達されセンサ筐体８は移動する。この時点で通帳接触バー９はまだ通帳収納機構４に装填されている通帳２に接触していない。
【００１４】
このままセンサ筐体８が移動を続けると、通帳接触バー９が通帳収納機構４に装填されている通帳２の表紙部に接触し、角度センサ本体１に角度変化という形で伝達する。このままセンサ筐体８が移動を続けると、通帳接触バー押し付けバネ１０によって通帳２に押し付けられている通帳接触バー９が通帳２の表紙部から背部へと移動する。そのままセンサ駆動モータ６を回転させ続けることにより、角度センサ本体１はセンサ筐体８とともに移動し続け、通帳接触バー押し付けバネ１０によって通帳２に押し付けられている通帳接触バー９が通帳２の背部から重なり部へと移動する。
【００１５】
そのままセンサ駆動モータ６を回転させ続けることにより、通帳接触バー押し付けバネ１０によって通帳２に押し付けられている通帳接触バー９が通帳２の重なり部から背部へ、重なり部へ、背部へ・・・・・と移動し、最終的には、通帳収納機構４に装填されている全ての通帳２の背部、重なり部を通帳接触バー９が通過した後センサ筐体下端検出装置１２まで移動し、センサ筐体８がセンサ筐体下端検出装置１２により検知され、制御装置５によりセンサ駆動モータ６を停止させることによりセンサ筐体８は停止する。
【００１６】
次に、センサ筐体８を下側から上側に移動して通帳２の冊数を検知する場合を示す。
【００１７】
センサ筐体下端検出装置１２側に停止しているセンサ筐体８は、制御装置５によりセンサ筐体上端検出装置１１側に向かうようセンサ駆動モータ６を一定速度で回転させ、その動力はセンサ駆動ベルト７、センサ駆動ギヤ３、センサ筐体８へと伝達されセンサ筐体８は移動する。この時点で通帳接触バー９はまだ通帳収納機構４に装填されている通帳２に接触していない。このままセンサ筐体８が移動を続けると、通帳接触バー９が通帳収納機構４に装填されている通帳２の表紙部に接触し、角度センサ本体１に角度変化という形で伝達する。
【００１８】
このままセンサ筐体８が移動を続けると、通帳接触バー押し付けバネ１０によって通帳２に押し付けられている通帳接触バー９が通帳２の表紙部から背部へと移動する。そのままセンサ駆動モータ６を回転させ続けることにより、角度センサ本体１はセンサ筐体８とともに移動し続け、通帳接触バー押し付けバネ１０によって通帳２に押し付けられている通帳接触バー９が通帳２の背部から重なり部へと移動する。
【００１９】
そのままセンサ駆動モータ６を回転させ続けることにより、通帳接触バー押し付けバネ１０によって通帳２に押し付けられている通帳接触バー９が通帳２の重なり部から背部へ、重なり部へ、背部へ・・・・・と移動し、最終的には、通帳収納機構４に装填されている全ての通帳２の背部、重なり部を通帳接触バー９が通過した後センサ筐体上端検出装置１１まで移動し、センサ筐体８がセンサ筐体上端検出装置１１により検知され、制御装置５によりセンサ駆動モータ６を停止させることによりセンサ筐体８は停止する。
【００２０】
上記の動作により角度センサ本体１の出力電圧が変化するためこの変化を制御装置５で検出し、通帳２の背部に相当する出力電圧と通帳２の重なり部に相当する出力電圧を解析することにより通帳の冊数を算出する。
【図面の簡単な説明】
【００２１】
【図１】本発明の実施例を説明する図である。
【図２】本発明の実施例における角度センサ本体回路図である。
【図３】本発明の実施例における検出波形（通帳正常セット時）である。
【図４】本発明の実施例における検出波形（通帳逆セット時）である。
【図５】本発明の実施例における検出波形（通帳混在時）である。
【符号の説明】
【００２２】
１：角度センサ本体、２：通帳、３：センサ駆動ギヤ、４：通帳収納機構、５：制御装置、６：センサ駆動モータ、７：センサ駆動ベルト、８：センサ筐体、９：通帳接触バー、１０：通帳接触バー押し付けバネ、１１：センサ筐体上端検出装置、１２：センサ筐体下端検出装置、２１：電源、２２：角度センサ本体、２３：波形出力端子 
【図１】
2008102801.tif 000003
【図２】
2008102801.tif 000004
【図３】
2008102801.tif 000005
【図４】
2008102801.tif 000006
【図５】
2008102801.tif 000007